(57)【特許請求の範囲】
【請求項１】
普通図柄を変動表示する第１の図柄表示部と、特別図柄を変動表示する第２の図柄表示部とを備えたパチンコ遊技機において、
遊技球の検出によって前記第１の図柄表示部で前記普通図柄の変動表示を開始させるための第１の検出手段と、前記普通図柄が予め定められた複数種類の当り図柄組合せのうちのいずれかの当り図柄組合せで前記第１の図柄表示部に表示されると拡開作動する第１の変動入賞装置と、前記第１の変動入賞装置への入賞を検出し、前記入賞検出に応じて前記第２の図柄表示部で前記特別図柄の変動表示を開始させるための第２の検出手段と、前記第２の検出手段による入賞検出に応じて、所定の範囲内で更新される大当たり判定用乱数の現在値を抽選する第２の抽選手段と、前記第２の図柄表示部に表示される前記特別図柄が予め定められた複数種類の当り図柄組合せのうちのいずれかの当り図柄組合せであるときに拡開作動する第２の変動入賞装置と、前記第１の検出手段による遊技球の検出数を記憶する第１の記憶手段と、前記第２の検出手段による遊技球の検出数を記憶する第２の記憶手段と、を有し、
前記第１の図柄表示部に前記普通図柄によって前記当り図柄組合せが表示される確率が、前記第２の図柄表示部に前記特別図柄によって前記当り図柄組合せが表示される確率よりも高い確率に設定され、前記大当たり判定用乱数に基づき生成される普通当り用乱数を前記第１の検出手段の検出信号に応じて抽選する第１の抽選手段と、前記第１の抽選手段による抽選結果に基づいて、前記普通図柄が前記第１の図柄表示部に複数種類の当り図柄組合せのうちのいずれかの当り図柄組合せで表示されるように制御する表示制御手段とを備えると共に、
前記表示制御手段による前記普通図柄の変動表示処理とは別のタイミングで実行される別処理であって、
前記第１の図柄表示部に確定表示される前記普通図柄の組合せ図柄を作成する図柄組合せステップと、前記図柄組合せステップで作成された図柄組合せが前記当り図柄組合せか前記当り図柄組合せ以外のはずれ図柄組合せかを判別する図柄組合せ判別ステップと、前記図柄組合せ判別ステップにおける判別結果がはずれ図柄組合せであった場合に、前記はずれ図柄組合せをはずれ図柄組合せ記憶手段に記憶するとともに、前記図柄組合せ判別ステップにおける判別結果が当り図柄組合せであった場合に、前記当り図柄組合せを当り図柄組合せ記憶手段に記憶する図柄組合せ記憶ステップと、からなる図柄組合せ作成記憶処理手段を備え、
前記表示制御手段は、前記第1の抽選手段による抽選結果がはずれであった場合に、前記図柄組合せ作成記憶処理手段によって前記はずれ図柄組合せ記憶手段に予め記憶されている前記はずれ図柄組合せを読み出して前記第１の図柄表示部に確定表示するとともに、前記第1の抽選手段による抽選結果が当りであった場合に、前記図柄組合せ作成記憶処理手段によって前記当り図柄組合せ記憶手段に予め記憶されている前記当り図柄組合せを読み出して前記第１の図柄表示部に確定表示するように制御するものであり、
前記第１の図柄表示部と前記第２の図柄表示部とが単一画面上の別表示領域に設けられ、前記普通図柄と前記特別図柄とが前記単一画面上において同時に視認可能に表示される図柄表示手段を備えたことを特徴とするパチンコ遊技機。
【発明の詳細な説明】
【０００１】
【発明の属する技術分野】
本発明は、第１の図柄表示部と第２の図柄表示部とを備えたパチンコ遊技機に関する。
【０００２】
【従来の技術】
特開平４−１１７９８０号公報には、遊技領域に、特別可変表示装置、普通可変表示装置、特別始動入賞口、普通始動入賞口、特別可変入賞球装置、普通可変入賞球装置を備え、普通始動入賞口への入賞に基いて普通可変表示装置を変動表示し、普通可変表示装置に停止表示された図柄が「７７」或いは「３３」である場合、当りとなって普通可変入賞球装置を拡開する一方、特別始動入賞口への入賞に基いて特別可変表示装置を変動表示し、特別可変表示装置に停止された図柄の組合せが、横３行及び斜め対角線上に２列の合計５列のラインに例えば７７７が揃えば大当りとなって特別可変入賞球装置の大入賞口を開放するよう構成されたパチンコ遊技機が記載されている。
【０００３】
また、上記公開公報には、「普通可変入賞球装置４を通常の入賞口として構成したが、この普通可変入賞球装置４に入賞したパチンコ玉を始動入賞玉検出器により検出し、その検出出力に基づいて特別可変表示装置１が可変表示されるようにしてもよい。」ことが記載されている（第５頁左上欄第１６行〜同頁同欄第２０行）。
【０００４】
上記従来のパチンコ遊技機は、特別可変表示装置において当りとなる確率は、当たりはずれ決定用カウンタが０乃至２１９の範囲でカウントアップされ、始動入賞に基いて判定される当たりはずれ決定用カウンタの値が「０」である場合に大当りとなることから、１／２２０であり、普通可変表示装置において当りとなる確率は、７／２２０、１５／２２０、７０／２２０の３通りあるが、いずれにせよ、普通可変表示装置において当りとなる数字が表示される確率は、特別可変表示装置において当りとなる数字の組合せが表示される確率よりも高確率に設定されている。また、上記従来のパチンコ遊技機は、当たりはずれ決定用カウンタを備えており、始動入賞玉検出器の検出信号に応じて当たりはずれ決定用カウンタの値が「０」であるか否かを判定し、当たりはずれ決定用カウンタの値が「０」であれば大当りデータを記憶する一方、当たりはずれ決定用カウンタの値が「０」でなければはずれデータを記憶するように構成されている。したがって、抽選した当たりはずれ決定用カウンタの値が当りであるか否かにより乱数的に設定される確率に基いて当り外れを判定している。
【０００５】
しかしながら、上記公開公報には、特別図柄に関して、図柄変動中において上記判定結果が当りの場合にどの停止図柄を表示するのかをどのようにして決定するのかは、全く記載されておらず、不明である。
【０００６】
【発明が解決しようとする課題】
本発明の目的は、第１の図柄によって表示される組合せ図柄を予め作成記憶しておき、抽選用数値手段の抽選結果の判定が外れの場合に応じて、作成記憶した組合せ図柄を表示するように制御することで、第１の図柄に関する表示制御の負荷を軽減できるパチンコ遊技機を提供することにある。
【０００７】
請求項１に記載のパチンコ遊技機は、普通図柄を変動表示する第１の図柄表示部と、特別図柄を変動表示する第２の図柄表示部とを備えたパチンコ遊技機において、遊技球の検出によって前記第１の図柄表示部で前記普通図柄の変動表示を開始させるための第１の検出手段と、前記普通図柄が予め定められた複数種類の当り図柄組合せのうちのいずれかの当り図柄組合せで前記第１の図柄表示部に表示されると拡開作動する第１の変動入賞装置と、前記第１の変動入賞装置への入賞を検出し、前記入賞検出に応じて前記第２の図柄表示部で前記特別図柄の変動表示を開始させるための第２の検出手段と、前記第２の検出手段による入賞検出に応じて、所定の範囲内で更新される大当たり判定用乱数の現在値を抽選する第２の抽選手段と、前記第２の図柄表示部に表示される前記特別図柄が予め定められた複数種類の当り図柄組合せのうちのいずれかの当り図柄組合せであるときに拡開作動する第２の変動入賞装置と、前記第１の検出手段による遊技球の検出数を記憶する第１の記憶手段と、前記第２の検出手段による遊技球の検出数を記憶する第２の記憶手段と、を有し、前記第１の図柄表示部に前記普通図柄によって前記当り図柄組合せが表示される確率が、前記第２の図柄表示部に前記特別図柄によって前記当り図柄組合せが表示される確率よりも高い確率に設定され、前記大当たり判定用乱数に基づき生成される普通当り用乱数を前記第１の検出手段の検出信号に応じて抽選する第１の抽選手段と、前記第１の抽選手段による抽選結果に基づいて、前記普通図柄が前記第１の図柄表示部に複数種類の当り図柄組合せのうちのいずれかの当り図柄組合せで表示されるように制御する表示制御手段とを備えると共に、前記表示制御手段による前記普通図柄の変動表示処理とは別のタイミングで実行される別処理であって、前記第１の図柄表示部に確定表示される前記普通図柄の組合せ図柄を作成する図柄組合せステップと、前記図柄組合せステップで作成された図柄組合せが前記当り図柄組合せか前記当り図柄組合せ以外のはずれ図柄組合せかを判別する図柄組合せ判別ステップと、前記図柄組合せ判別ステップにおける判別結果がはずれ図柄組合せであった場合に、前記はずれ図柄組合せをはずれ図柄組合せ記憶手段に記憶するとともに、前記図柄組合せ判別ステップにおける判別結果が当り図柄組合せであった場合に、前記当り図柄組合せを当り図柄組合せ記憶手段に記憶する図柄組合せ記憶ステップと、からなる図柄組合せ作成記憶処理手段を備え、前記表示制御手段は、前記第1の抽選手段による抽選結果がはずれであった場合に、前記図柄組合せ作成記憶処理手段によって前記はずれ図柄組合せ記憶手段に予め記憶されている前記はずれ図柄組合せを読み出して前記第１の図柄表示部に確定表示するとともに、前記第1の抽選手段による抽選結果が当りであった場合に、前記図柄組合せ作成記憶処理手段によって前記当り図柄組合せ記憶手段に予め記憶されている前記当り図柄組合せを読み出して前記第１の図柄表示部に確定表示するように制御するものであり、前記第１の図柄表示部と前記第２の図柄表示部とが単一画面上の別表示領域に設けられ、前記普通図柄と前記特別図柄とが前記単一画面上において同時に視認可���に表示される図柄表示手段を備えたことを特徴とする。
【０００８】
【発明の実施の形態】
以下、本発明の実施の形態を図面に基づいて詳細に説明する。図１において、遊技盤１の略中央部にはパチンコ機の図柄表示装置の主要部を構成する図柄表示ユニット２が配備され、図柄表示ユニット２の左右にそれぞれ普通図柄作動口である左ゲート５及び右ゲート６が配置され、更に遊技盤１の中央下部には左，右ゲート５，６と同形状の飾り部材４１があって、さらに飾り部材４１の下方には図柄表示ユニット２に連動し、ソレノイド等で開閉駆動される電動役物普通入賞装置（第１の変動入賞装置）の入賞口としての中第１種始動口３が配設されている。
【０００９】
図柄表示ユニット２内中央には、ドットマトリクスＬＥＤにより表示される普通図柄表示部２２ａからなる第１の図柄表示部と、特別図柄表示部２２ｂからなる第２の図柄表示部および記憶数表示部２５が設けられている。又、左ゲート５と右ゲート６の内部には、左普通図柄作動スイッチＳＷ５と右普通図柄作動スイッチＳＷ６からなる第１の検出手段が配設されている。そして、中第１種始動口３は、左普通図柄作動検出スイッチＳＷ５または右普通図柄作動検出スイッチＳＷ６により、図柄表示ユニット２の特定される図柄一致に基づいて連続開閉動作を行い、１開放動作０．６秒間、１閉鎖動作３．６秒間として開閉動作の継続時間を２１．６秒間に設定され、開閉動作を６回行う。
【００１０】
入賞装置１４は、その略中央にはソレノイド等で開閉駆動される大入賞口１５が配備され、大入賞口１５の両側には左第１種始動口１６と右第１種始動口１７が配設されている。中第１種始動口３と左第１種始動口１６および右第１種始動口１７の内部には中第１種始動口入賞検出スイッチＳＷ１と左第１種始動口入賞検出スイッチＳＷ２および右第１種始動口入賞検出スイッチＳＷ３の各々からなる第２の検出手段が配設されている。
【００１１】
入賞装置１４における大入賞口１５の内部には、遊技球分け壁１８，１９によって３つの入賞領域に区分され、遊技球分け壁１８，１９を両側とする中央の入賞領域には、大入賞口１５を連続開放させる役物連続作動装置としての特定領域入賞検出スイッチＳＷ４による大入賞口１５の連続開放回数を数値表示する連続回数表示ＬＥＤ２０と大入賞口１５の１開放動作中の入賞数を数値表示する大入賞口入賞数表示ＬＥＤ２１が配設されている。なお、大入賞口１５の連続開放動作は、図柄表示ユニット２の図柄一致に基づく第１回目の開放動作と特定領域入賞検出スイッチＳＷ４の作動による連続開放動作とを合わせて最高１６回までである。大入賞口１５の１開放動作の継続時間は２９．５秒に設定されているが、１開放動作中に大入賞口１５に入賞した遊技球の総数が１０個を越えた場合には、１０個目の入賞検出を以て１開放動作を完了するようになっている。
【００１２】
左普通図柄作動スイッチＳＷ５及び右普通図柄作動スイッチＳＷ６は第１の検出手段であり、中第１種始動口入賞検出スイッチＳＷ１と左第１種始動口入賞検出スイッチＳＷ２および右第１種始動口入賞検出スイッチＳＷ３は第２の検出手段である。また、中第１種始動口３は第１の変動入賞装置の入賞口であり、入賞装置１４の大入賞口１５は第２の変動入賞装置の入賞口である。
【００１３】
図１において、左下入賞口４、右下入賞口７、ランプ付風車８、風車９、アウト球受口１１、球誘導レール１２、返しゴム１３の各要素については周知であるから説明を省略する。
【００１４】
５０は表示灯Ａ，５１は表示灯Ｂ，５２は表示灯Ｃ，５３は表示灯Ｄ，５４は装飾ＬＥＤである。
【００１５】
図２は、図柄表示ユニット２を中央で上下に割って示す断面図であり、該図柄表示ユニット２は、遊技盤面に対して略平行に配備されたドットマトリクスＬＥＤ表示体２３と遊技盤面に対して略直角に配備されたドットマトリクスＬＥＤ表示体２２を備え、ドットマトリクスＬＥＤ表示体２３による図柄表示とドットマトリクスＬＥＤ表示体２２による図柄表示の鏡像とが共に遊技盤１の手前から視認できるような位置にハーフミラー２４が傾斜して配設されている。
【００１６】
ドットマトリクスＬＥＤ表示体２３は遊技盤に対し傾斜して配備されたハーフミラー２４を透過して図柄を表示する図柄表示手段であり、又、ドットマトリクスＬＥＤ表示体２２はハーフミラー２４の反射面を介して図柄を表示する図柄表示手段である。ドットマトリクスＬＥＤ表示体２３からハーフミラー２４の反射面に至る距離はドットマトリクスＬＥＤ表示体２２からハーフミラー２４の反射面に至る距離に比べて短い。
【００１７】
図３は略矩形のドットマトリクスＬＥＤ表示体２２の一縁２２ｃを上に向けて表示面２２ｄの側からドットマトリクスＬＥＤ表示体２２を示す平面図であり、遊技盤１において視認される特別図柄表示部２２ｂは、ドットマトリクスＬＥＤ表示体２２を構成するＬＥＤ素子の１行１列乃至８行２４列までの１９２素子によって構成され、遊技盤１において視認される普通図柄表示部２２ａは、ドットマトリクスＬＥＤ表示体２２を構成するＬＥＤ素子の９行９列乃至９行２４列までの１２８素子によって構成されている。詳しくは、ドットマトリクスＬＥＤ表示体２２を構成するＬＥＤ素子の１行１列乃至８行８までの６４素子と１行９列乃至８行１６列までの６４素子及び１行１７列乃至８行２４列までの６４素子の各々により、特別図柄を表示するための左特別図柄表示ＬＥＤ（Ｌ）と中特別図柄表示ＬＥＤ（Ｃ）及び右特別図柄表示ＬＥＤ（Ｒ）が構成され、ドットマトリクスＬＥＤ表示体２２の９行９列乃至１６行１６列までの６４素子と９行１７列乃至１６行２４列までの６４素子の各々により、普通図柄を表示するための左普通図柄表示ＬＥＤ（Ａ）と右普通図柄表示ＬＥＤ（Ｂ）が構成されている。
【００１８】
そして、遊技盤１において視認される記憶数表示部２５は、ドットマトリクスＬＥＤ表示体２２の９行１列乃至８行１６列までの６４素子により構成される記憶数表示ＬＥＤ（Ｎ）に対応している。記憶数表示ＬＥＤ（Ｎ）は、普通図柄変動表示実行中、又は中第１種始動口３の開閉動作中、又は特別図柄変動表示実行中および大入賞口１５の開放動作中に左ゲート５，右ゲート６を通過して左普通図柄作動スイッチＳＷ５または右普通図柄作動スイッチＳＷ６によって検出された遊技球の数を、普通図柄合わせの実行回数として現在普通図柄変動表示実行中の場合も含めて最高４回まで数字表示し、遊技者に知らせる。
【００１９】
ドットマトリクスＬＥＤ表示体２２の左普通図柄表示ＬＥＤ（Ａ）及び右普通図柄表示ＬＥＤ（Ｂ）は第１の図柄表示部であり、また、左特別図柄表示ＬＥＤ（Ｌ）と中特別図柄表示ＬＥＤ（Ｃ）及び右特別図柄表示ＬＥＤ（Ｒ）は第２の図柄表示部である。
【００２０】
図４はドットマトリクスＬＥＤ表示体２３を遊技盤１の手前から見て示す平面図であり、ドットマトリクスＬＥＤ表示体２３を構成するＬＥＤ素子の１行１列乃至８行８列までの６４素子と１行９列乃至８行１６列までの６４素子及び１行１７列乃至８行２４列までの６４素子の各々により、左特別図柄表示ＬＥＤ（ｌ）と中特別図柄表示ＬＥＤ（ｃ）及び右特別図柄表示ＬＥＤ（ｒ）が構成されている。
【００２１】
左特別図柄表示ＬＥＤ（ｌ），中特別図柄表示ＬＥＤ（ｃ），右特別図柄表示ＬＥＤ（ｒ）の各々は第２の図柄表示部の一部を構成するドットマトリクスＬＥＤ表示体２３の図柄表示単位面であり、また、左特別図柄表示ＬＥＤ（Ｌ），中特別図柄表示ＬＥＤ（Ｃ），右特別図柄表示ＬＥＤ（Ｒ）の各々は第２の図柄表示部の一部を構成するドットマトリクスＬＥＤ表示体２２の図柄表示単位面である。
【００２２】
ドットマトリクスＬＥＤ表示体２２及びドットマトリクスＬＥＤ表示体２３とハーフミラー２４は、ドットマトリクスＬＥＤ２３の図柄表示単位面である左特別図柄表示ＬＥＤ（ｌ），中特別図柄表示ＬＥＤ（ｃ），右特別図柄表示ＬＥＤ（ｒ）の図柄表示とドットマトリクスＬＥＤ表示体２２の図柄表示単位面である左特別図柄表示ＬＥＤ（Ｌ），中特別図柄表示ＬＥＤ（Ｃ），右特別図柄表示ＬＥＤ（Ｒ）の各図柄表示の鏡像とが重なって見えるような位置に配備される。なお、透明カバー部材２９ａは、ドットマトリクスＬＥＤ表示体２２の表示面を保護するためのものである。
【００２３】
図柄表示ユニット２は、その頂部に天入賞口７を備え、また、ハーフミラー２４の後方下部には文字表示ＬＥＤ２６と記憶数表示ＬＥＤ２７が配設されている。記憶数表示ＬＥＤ２７は図柄の変動表示実行中もしくは大入賞口１５の開放動作中に左，中，右第１種始動口１６，３，１７に入賞した遊技球の数を図柄合わせの実行回数として最高４回まで点灯個数で表示し、文字表示ＬＥＤ２６は記憶数表示ＬＥＤ２７の機能を“ＭＥＭＯＲＹ”等の文字表示で遊技者に知らせる。また、図柄表示ユニット２におけるハーフミラー２４の手前に穿設された略矩形の覗き窓２８の上縁にはアーチ型の遊技球振り分け部２９が突設され、遊技球の転動による視認阻害や図柄表示ユニット２内部への不用意な遊技球の侵入を防止している。
【００２４】
図２７において、図柄表示ユニット２の制御部４０は、図柄表示ユニット２の制御プログラムや表示図柄のデータ等を格納したＲＯＭ３０とデータの一時記憶等に用いられるＲＡＭ３１及びＲＯＭ３０の制御プログラムに従って図柄表示ユニット２の各部を駆動制御するＣＰＵ３２によって構成され、該制御部４０は表示制御手段と条件検出手段を兼ねる。また、ＲＯＭ３０の制御プログラムには、ドットマトリクスＬＥＤ表示体２３やドットマトリクスＬＥＤ表示体２２への表示出力の切替え動作を制御する設定条件となる表示制御プログラムが含まれる。なお、ここでいうＲＯＭは書き込みや書き替えの不能な記憶手段を意味するものではない。
【００２５】
左，中，右第１種始動口１６，３，１７に配備された第１種始動口入賞検出スイッチＳＷ１，ＳＷ２，ＳＷ３と左ゲート５及び右ゲート６に配備された普通図柄作動検出スイッチＳＷ５，ＳＷ６の各々は、スイッチ検出部３３を介してＣＰＵ３２に接続され、また、ドットマトリクスＬＥＤ表示体２２，２３に置ける左，中，右特別図柄表示ＬＥＤ（Ｌ），（Ｃ），（Ｒ），（ｌ），（ｃ），（ｒ）と左，右普通図柄表示ＬＥＤ（Ａ），（Ｂ）及び記憶数表示ＬＥＤ（Ｎ）の各々は、ＬＥＤ表示回路３４を介してＣＰＵ３２により個別にまたは同時に駆動制御されるようになっている。また、クロック回路３５はＣＰＵ３２の処理周期を規定する。
【００２６】
ＣＰＵ３２は遊技盤１における入賞装置１４や装飾ＬＥＤ５４及び各表示灯Ａ〜Ｄおよび連続回数表示ＬＥＤ２０や大入賞口入賞数表示ＬＥＤ２１を始め、文字表示ＬＥＤ２６や記憶数表示ＬＥＤ２７等および効果音を出力するスピーカー等の駆動制御手段をも兼ねるが、これら各部材の駆動制御方式については周知であるから説明を省略する。
【００２７】
以下、ＲＯＭ３０に格納された制御プログラムの要部を示すフローチャート（図５乃至図２６）を参照して本実施形態におけるパチンコ機の処理動作を説明する。なお、図５乃至図１１に示すタスク１の処理と図１２乃至図１４に示すタスク２の処理と、図１５乃至図２２に示すタスク３の処理と、図２３乃至図２５に示すタスク４の処理及び図２６に示すタスク５の処理は、クロック回路３５からの信号に応じ、ＣＰＵ３２が所定の処理周期（μｓのオーダー）ごとに並列的に繰り返し実行するものである。なお、請求項１に記載の図柄組合せ作成処理手段が上記タスク１の処理に相当し、請求項１に記載の表示制御手段よる第１の図柄の変動表示処理が上記タスク２の処理に相当するものである。したがって、上記第１の図柄の変動表示処理とは別処理で図柄組合せ作成処理が実行されるものである。
【００２８】
図５〜図１１に示すタスク１の処理は、ＣＰＵ３２が所定周期毎に大当り用乱数の値（抽選用数値手段に相当）を０乃至１０５０の範囲で逐次インクリメントすることにより発生させ、この大当り用乱数の値に基づいて、変動時間用乱数、普通当り用乱数、左，右普通図柄データ及び左，中，右特別図柄データの各値を設定し、普通当り用乱数の値及び左，右普通図柄データにより普通当り図柄データおよび普通はずれ図柄データの作成を行い、左，中，右特別図柄データの各値によって左，中，右特別大当り図柄データ及び左，中，右特別はずれ図柄データを作成し、更に、左，右普通図柄作動スイッチＳＷ５，ＳＷ６からの検出信号により遊技球の左，右ゲート通過を最高４回まで記憶して図柄表示ユニット２の記憶数表示部２５に数字表示し、左，中，右第１種始動入賞検出スイッチＳＷ１，ＳＷ２，ＳＷ３からの入賞検出信号がされる毎に、大当り用乱数の値を最高４個まで記憶する。
【００２９】
ＣＰＵ３２は、所定の処理周期毎に大当り用乱数の値を０乃至１０５０の範囲で逐次インクリメントし、大当り用乱数記憶レジスタＲＡＮ１の値が１０５０に到達する毎にレジスタＲＡＮ１の値を０に初期化する一方、レジスタＲＡＮ１の値を１つインクリメントする度に変動時間用乱数記憶レジスタＲＡＮ２の値を０と１との間で循環的に切り替える（ステップａ１〜ステップａ６）。
【００３０】
次いで、ＣＰＵ３２は普通当り用乱数、左，右普通図柄データ及び左，中，右特別図柄データの各値を設定するための処理として、大当り用乱数記憶レジスタＲＡＮ１の２ビット目と３ビット目（０〜３までの値）をレジスタＲｘに格納し、同様に、大当り用乱数記憶レジスタＲＡＮ１の１ビット目と２ビット目及び０ビット目と１ビット目を各々レジスタＲｙ，Ｒｚに格納し（ステップａ７〜ステップａ９）、レジスタＲｘの値に１を加算してレジスタＲ´に格納し、レジスタＲ´の値が４であるかを判別し、４であればレジスタＲ´に０を格納し、４でなければ格納された値のままにして、レジスタＲ´の値と普通当り乱数レジスタＲ´０の値（０〜４までの値）を加算して普通当り乱数レジスタＲ´０に格納し、又、レジスタＲ´の値と左特別図柄データ記憶レジスタｒ０の値（０〜１４までの値）を加算して左特別図柄データ記憶レジスタｒ０に格納する（ステップａ１０〜ステップａ１４）。ＣＰＵ３２は、普通当り用乱数記憶レジスタＲ´０の値を５以上であるか否かを判別し、５以上であれば普通当り用乱数記憶レジスタＲ´０の値より５を減算して普通当り用乱数記憶レジスタＲ´０に格納し、左特別図柄データ記憶レジスタｒ０の値が１５以上かどうかを判別し、１５以上であればレジスタｒ０の値より１５を減算して左特別図柄データ記憶レジスタｒ０に格納する（ステップａ１５〜ステップａ１８）。この結果、普通当り用乱数記憶レジスタＲ´０には０〜４までのどれかの値がセットされ、左特別図柄データ記憶レジスタｒ０には０〜１４までのどれかの値がセットされる。ここで、レジスタＲｘ，Ｒｙ，Ｒｚ及びＲ´は、ＣＰＵ３２が内部処理に使用するレジスタである。
【００３１】
このレジスタＲｘの値と普通当り用乱数記憶レジスタＲ´０の値（０〜４までの値）と左特別図柄データ記憶レジスタｒ０の値（０〜１４までの値）に対してＣＰＵ３２が行った判別処理及び演算処理を、ＣＰＵ３２は、レジスタＲｙと左普通図柄データ記憶レジスタＲｌ（０〜４までの値）及び中特別図柄記憶レジスタｒ１（０〜１４までの値）の各値に対してと、レジスタＲｚと右普通図柄データ記憶レジスタＲｒ（０〜４までの値）及び右特別図柄記憶レジスタｒ２（０〜１４までの値）の各値に対しても、同様に行う（ステップａ１９〜ステップａ３６）。なお、タスク１の処理におけるステップａ２２及びステップａ３１は、請求項１に記載の図柄組合せステップを示すものである。
【００３２】
左，右普通図柄データ記憶レジスタＲｌ，Ｒｒ及び左，中，右特別図柄記憶レジスタｒ０乃至ｒ２に記憶された値は、内部処理指標の値であり、ＣＰＵ３２は、この値を処理周期毎に逐次個別に変化させることにより、図柄表示可能なすべての組合わせ図柄を作成し、当該処理周期で作成された内部処理指標の組合わせが当り図柄に関するものであるかはずれ図柄に関するものであるかを判別して（ステップａ３７）、当り図柄であれば各内部指標Ｒｌ，Ｒｒの現在値を左，右普通当り図柄データ記憶レジスタｒｌａ，ｒｒａの各々に格納し（ステップａ３８）、また、当該処理周期で作成された内部処理指標の組合わせがはずれ図柄に関するものであれば各内部指標Ｒｌ，Ｒｒの現在値を左，右普通はずれ図柄データ記憶レジスタｒｌｂ，ｒｒｂの各々に格納し（ステップａ３９）、又、内部指標ｒ０乃至ｒ２に関しても作成された内部処理指標の組合わせが当り図柄に関するものであるかはずれ図柄に関するものであるかを判別して（ステップａ４０〜ステップａ４１）、当り図柄であれば各内部処理指標のｒ０乃至ｒ２の現在値を左，中，右大当り図柄データ記憶レジスタｒ０ａ乃至ｒ２ａの各々に格納し（ステップａ４２）、また、当該処理周期で作成された内部処理指標の組合わせがはずれ図柄に関するものであれば各内部処理指標ｒ０乃至ｒ２の現在値を左，中，右はずれ図柄データ記憶レジスタｒ０ｂ乃至ｒ２ｂの各々に格納する（ステップａ４３）。なお、タスク１の処理において、ステップａ３７は請求項１に記載の図柄組合せ判別ステップを示すものであり、ステップａ３８、ａ３９は請求項１に記載の図柄組合せ記憶ステップを示すものである。

【００３３】
従って、左，右普通当り図柄データ記憶レジスタｒｌａ，ｒｒａ及び左，中，右大当り図柄データ記憶レジスタｒ０ａ乃至ｒ２ａの各々には当り図柄に関する内部処理指標の値のみが逐次変化して更新記憶され、また、左，右普通はずれ図柄データ記憶レジスタｒｌｂ，ｒｒｂ及び左，中，右はずれ図柄データ記憶レジスタｒ０ｂ乃至ｒ２ｂの各々には、はずれ図柄に関する内部処理指標の値のみが逐次変化して更新記憶される。
【００３４】
そして、ＣＰＵ３２は、左，右普通図柄作動スイッチＳＷ５，ＳＷ６からの検出信号が入力される毎に、未使用のゲート検出状態識別フラグＥｉを検出して記憶する（ステップａ４４〜ステップａ４９）。ＣＰＵ３２は、左，右ゲート５，６に遊技球が通過する毎に、検索指標ｉの値に基づいてゲート検出状態識別フラグＥ０乃至Ｅ３を設定するから、最高４個まで記憶される。
【００３５】
更に、左，中，右第１種始動口入賞検出スイッチＳＷ１，ＳＷ２，ＳＷ３からの入賞検出信号が入力される毎に、未使用の確定乱数記憶レジスタＲｉに大当り用乱数記憶レジスタＲＡＮ１の現在値を記憶する（ステップａ５０〜ステップａ５６）。ＣＰＵ３２は第１種始動口１６，３，１７への入力を検出する毎に、検索指標ｉの値に基づいて記憶状態識別フラグＦｉが未使用の確定乱数記憶レジスタＲｉを検出し、この確定乱数記憶レジスタＲｉに大当り用乱数記憶レジスタＲＡＮ１の現在値を記憶して記憶状態識別フラグＦｉを設定するから、図２８に示されるように、確定乱数記憶レジスタＲｉには入賞検出時点でのＲＡＮ１の値が最高４個まで記憶されることになる。
【００３６】
大当り用乱数記憶レジスタＲＡＮ１の値は所定の処理周期毎に法則的に変化するが、左，中，右第１種始動口１６，３，１７への入賞検出タイミングとＲＡＮ１の現在値との間には何の因果関係もないので、入賞検出時点でのＲＡＮ１の現在値を乱数として使用することができる。
【００３７】
そして、ＣＰＵ３２は、検索指標ｉの値に基づいて使用中のゲート検出状態識別フラグＥｉを検出し、検出されるごとに記憶数表示レジスタＲｄに１つずつ加算していき、記憶数表示レジスタＲｄの値を記憶数表示ＬＥＤ（Ｎ）によって数字表示する（ステップａ５７〜ステップａ６３）。表示される数字は０〜４のいずれかとなる。
【００３８】
普通図柄データ記憶レジスタＲｌ，Ｒｒに記憶される内部処理指標の値と図柄の関係は、表１乃び表２に示す左，右普通の各表示指標ｉｕ，ｉｖに内部処理指標の値を置き換えており、特別図柄記憶レジスタｒ０乃至ｒ２に記憶される内部処理指標の値と図柄の関係は表３乃至表５に示す通りであって、左，中，右特別の各表示指標ｉｌ，ｉｃ，ｉｒと図柄との関係に等しい。従って図柄可能な全ての組合わせの図柄を一巡して作成するためには普通図柄では２５回、特別図柄では１５３回の処理が必要とされる。
【００３９】
【表１】
0003855230.tif 000002
【００４０】
【表２】
0003855230.tif 000003
【００４１】
【表３】
0003855230.tif 000004
【００４２】
【表４】
0003855230.tif 000005
【００４３】
【表５】
0003855230.tif 000006
請求項１に記載の第１の図柄表示部に第１の図柄によって所定の表示態様が表示される場合とは、本実施形態にあっては、普通図柄で当りとなる図柄の組合せとなる場合であって、左普通図柄と右普通図柄が一致する場合である。また、請求項１に記載の第２の図柄表示部に第２の図柄によって所定の表示態様が表示される場合とは、本実施形態にあっては特別図柄で大当りとなる図柄の組合せとなる場合であって、左，中，右の特別図柄が全て一致した場合となる。
【００４４】
即ち、左，右普通図柄当りデータ記憶レジスタｒｌａおよびｒｒａに記憶される図柄の組合わせは５通りであるから機械式回転ドラムのように各図柄を完全に無作為に変動表示して当りがでる表示上の確率は、５／２５となり、また、左，中，右大当たり図柄データ記憶レジスタｒ０ａ乃至ｒ２ａに記憶される図柄の組合わせは左，中，右が同図柄のうちのいずれかであり、それ以外の組合わせは全て左，中，右外れ図柄データ記憶レジスタｒ０ｂ乃至ｒ２ｂに記憶されることになるから、表示上の大当りがでる確率は、当り図柄の組合わせ数を図柄の総組合わせ数で除した値１５／３３７５となる。
【００４５】
実施形態においては、普通図柄に関しては、普通当り用乱数記憶レジスタＲ´０の値と設定値との関係に基いて変動表示停止時に表示する図柄を選択するようにし、特別図柄に関しては、左，中，右第１種始動口１６，３，１７への入賞検出時点でセットされた確定乱数記憶レジスタＲｉの値と設定値との関係に基いて変動表示停止時に表示する図柄を選択するようにしているので、普通図柄当り及び大当りの発生確率は各図柄の組合わせ発生確率等と無関係に任意に設定することができる。なお、レジスタＲｌ及びＲｒ，レジスタｒｌａ及びｒｒａ，レジスタｒｌｂ，ｒｒｂ，レジスタｒ０ａ乃至ｒ２ａ，レジスタｒ０ｂ乃至ｒ２ｂ，レジスタｒ０乃至ｒ２の各値は内部処理指標の値を示すものであって、実際の変動表示に用いられる表示指標ｉｌ，ｉｃ，ｉｒの現在値とは無関係である。
【００４６】
図１２〜図１４に示すタスク２の処理は普通図柄の変動表示に関するものである。なお、タスク２の処理において、後述するステップｂ１１は請求項１に記載の抽選手段を示すものである。
【００４７】
ＣＰＵ３２は、まず、左，右普通図柄作動スイッチＳＷ５，ＳＷ６の検出信号に基づく新規の普通図柄変動表示の開始が可能であるか否かを普通図柄動作フラグｆａに１又は２又は３が設定されているか否かにより検出する（ステップｂ１，ステップｂ２及びステップｂ３）。普通図柄動作フラグｆａの値が１であれば左普通図柄変動表示の実行中であり、また、普通図柄動作フラグｆａの値が２であれば右普通図柄変動表示の実行中であり、また、普通図柄動作フラグｆａの値が３であれば第１種始動口３の開閉動作の実行中であって、いずれの場合にも新規の図柄変動表示の開始は不能である。なお、普通図柄動作フラグｆａの値が１の時はＣＰＵ３２はタスク２の処理で図柄の左普通図柄変動表示を継続して実行し、普通図柄動作フラグｆａの値が２の場合には、タスク２の処理で図柄の右普通図柄変動表示を継続して実行し、また、普通図柄動作フラグｆａの値が３の場合には、実質上、タスク２の処理が非実行とされる。
【００４８】
また、普通図柄動作フラグｆａが１又は２又は３以外の値であれば普通図柄の変動表示も第１種始動口３の開閉動作も行われていないので、新規の普通図柄変動が開始可能な状態にある。初期段階ではｆａ＝０であり、信号検出待ちの状態となる。
【００４９】
この場合、ＣＰＵ３２は、まず、ゲート検出状態識別フラグＥ０に１がセットされているか否か、即ち、タスク１の処理で左，右ゲート５，６に遊技球が通過したかどうかが既に検出されているか否かを判別する（ステップｂ４）。
【００５０】
左，右普通図柄作動スイッチＳＷ５，ＳＷ６によって遊技球のゲート通過が検出されていれば、タスク１の処理でＣＰＵ３２はゲート通過が検出される毎にｉ＝０〜３の順で未使用のゲート検出状態識別フラグＥｉに１をセットしていくので、ゲート検出状態識別フラグＥ０に１がセットされていれば、左，右ゲート５，６に遊技球が通過したかどうかがが少なくとも１回は検出されていることを意味する（ステップａ７〜ステップａ１３参照）。
【００５１】
そして、ゲート検出状態識別フラグＥ０に１がセットされていれば、ＣＰＵ３２はステップｂ５に移行し、普通図柄動作フラグｆａに１をセットして普通図柄変動表示の開始を記憶し（ステップｂ５）、ｔ1 乃びｔ2 のパラメータに予め決められた値を設定することになる（ステップｂ６）。ｔ1 乃びｔ2 は、図２９に示すように、左，右の各普通図柄の変動時間を示す固定的な値である。
【００５２】
左，右の各普通図柄の変動時間を設定したＣＰＵ３２は、次いで、ドットマトリクスＬＥＤ表示体２２の左，右普通図柄表示ＬＥＤ（Ａ），（Ｂ）の各々に表示すべき図柄を示す表示指標ｉｕ，ｉｖの値を連続的にインクリメントして各普通図柄を変動表示させる処理を開始し（ステップｂ７）、タイマＴａを作動させて変動表示開始後の経過時間の測定を開始する（ステップｂ８）。なお、実際の図柄送りは各図柄表示ＬＥＤ（Ａ），（Ｂ）の各行の表示出力を数行ずつ所定周期毎に切り替えることにより、あたかも図柄が上下に流れるように連続的に行われるが、この点に関しては、ＬＥＤ素子等を用いた表示技術として周知であるから説明を省略する。実施形態の場合、変動表示時における左，右図柄の図柄送り速度の基準値は各々０．０３２秒／図柄である。
【００５３】
次周期以降の処理では既に普通図柄動作フラグｆａに１がセットされているから、表示制御手段としてのＣＰＵ３２はステップｃ１の判別処理実行後ステップｃ９に移行し、変動表示開始後の経過時間Ｔａが設定値ｔ1 に達するまでの間、ステップｃ１およびステップｂ９の判別処理と左，右の普通図柄表示ＬＥＤ（Ａ），（Ｂ）の変動表示に関するステップｂ１０の処理を所定の処理周期で繰り返し実行することとなる。
【００５４】
このようにして左，右普通図柄の変動処理を繰り返し実行する間に変動表示開始後の経過時間Ｔａが設定値ｔ1 に達すると（ステップｂ９）、ＣＰＵ３２は普通当り乱数レジスタＲ´０の現在値を読み込んで普通確定値記憶レジスタＲｂに格納し（ステップｂ１１）、ゲート検出状態識別フラグＥ１乃至Ｅ２をゲート検出状態識別フラグＥ０乃至Ｅ２に順次シフトして、ゲート検出状態識別フラグＦ３に０をセットする（ステップｂ１２）。
【００５５】
次いで、ＣＰＵ３２は、普通確定値記憶レジスタＲｂの値が当りに対応する設定値１と一致するか否かを判別し（ステップｂ１３）、普通確定値記憶レジスタＲｂの値が設定値と一致すれば、左，右普通当たり図柄データ記憶レジスタｒｌａ乃びｒｒａの各値を左，右表示普通図柄記憶レジスタｒｌｃ乃びｒｒｃに格納する一方（ステップｂ１４）、普通確定値記憶レジスタＲｂの値が設定値と一致しなければ、左，右普通はずれ図柄データ記憶レジスタｒｌｂ乃至ｒｒｂの各値を左，右表示普通図柄記憶レジスタｒｌｃ乃至ｒｒｃの各々に格納して（ステップｂ１５）、変動停止時に左，右普通図柄表示ＬＥＤに表示すべき図柄を確定する。
【００５６】
次いで、ＣＰＵ３２は、左，右普通図柄表示ＬＥＤ（Ａ），（Ｂ）の変動停止時間ｔ1 及びｔ2 時に、左，右表示普通図柄記憶レジスタｒｌｃ，ｒｒｃの内部処理指標に対応する図柄が表示されるように左，右図柄に関する表示指標ｉｕ及びｉｖの値に各々置き換えて（ステップｂ１６）、左普通図柄表示ＬＥＤ（Ａ）の変動を停止し（ステップｂ１７）、普通図柄動作フラグｆａに２をセットして（ステップｂ１８）、この周期の処理を終了する。
【００５７】
左普通図柄表示ＬＥＤ（Ａ）の変動が停止された時点で、左普通図柄表示ＬＥＤ（Ｌ）には、左普通表示図柄記憶レジスタｒｌｃに記憶された指標に対応する図柄が静止表示されることとなるが、外部ノイズ等の影響で正常な表示制御が阻害されたりすると、変動表示停止時に別の図柄が表示される場合もある。このような場合であっても、表示指標ｉｕの値に基いてＲＯＭ３１から読込まれたデータに基いて図柄が表示されることにかわりはないから、表示指標ｉｕの値と左普通図柄との関係は常に確保される。
【００５８】
次周期以降の処理では普通図柄動作フラグｆａの値が２となるから、ＣＰＵ３２はステップｃ１，ステップｃ２の判別処理実行後ステップｂ１９に移行し、変動表示開始後の経過時間Ｔａが設定値ｔ2 に達するまでの間、ステップｃ１，ステップｃ２およびステップｂ１９の判別処理と、右普通図柄表示ＬＥＤ（Ｂ）の変動表示に関するステップｂ２０の処理を所定の処理周期で繰り返し実行することとなる。
【００５９】
そして、経過時間Ｔａが設定値ｔ2 に達したことがステップｂ１９の判別処理で検出されると、ＣＰＵ３２は右普通図柄表示ＬＥＤ（Ｂ）の変動を停止し（ステップｂ２１）、右普通図柄表示ＬＥＤ（Ｂ）の変動が停止された時点で、右普通図柄表示ＬＥＤ（Ｂ）には、右表示普通図柄記憶レジスタｒｒｃに記憶された指標に対応する図柄が静止表示されることとなる。また、外部ノイズ等の影響で正常な表示制御が阻害された場合であっても、表示指標ｉｖの値と右普通図柄との関係は常に確保される。
【００６０】
そして、左右の普通図柄の変動表示を終了したＣＰＵ３２は、表示指標ｉｕ，ｉｖの現在値に基いて左普通図柄表示ＬＥＤ（Ａ）と右普通図柄表示ＬＥＤ（Ｂ）の組合わせが同図柄であるか否かを判別し（ステップｂ２２）、同図柄であれば、即ち、当り図柄の組合わせであれば普通図柄動作フラグｆａに３を設定し（ステップｂ２３）、中第１種始動口３の開閉動作処理のための開放回数記憶レジスタＣを初期化し（ステップｂ２４）、動作時間フラグｆｔを初期化して（ステップｂ２５）、中第１種始動口３の開閉動作処理に関するタスク４の処理の実行を許可する。また、同図柄の組合わせでなければ、普通図柄動作フラグｆａの値を初期化し（ステップｂ２６）、記憶数表示レジスタＲｄの値を１減じて（ステップｂ２７）、この周期の処理を終了する。
【００６１】
この実施形態においては、所定の処理周期毎に行われるタスク２におけるステップｂ１１の処理時の普通当り用乱数記憶レジスタＲ´０の現在値が普通確定値記憶レジスタＲｂの値であり、設定値１と一致するか否かによって普通図柄当りの有無が決定され、また、ステップｂ１７の処理で左普通図柄表示ＬＥＤ（Ａ）の変動表示が停止される時点ではステップｃ１４乃至ステップｃ１６の処理により当り図柄の組合わせやはずれ図柄の組合わせが確定されているが、外部ノイズ等の影響で正常な表示制御が阻害され、最終的に表示される図柄に狂いが生じることも考えられる。
【００６２】
しかし、本実施形態においては、最終的な図柄組合わせの判定に際し、予め確定された図柄組合わせのかわりに、変動表示停止時の図柄に対応する表示指標ｉｕ，ｉｖの現在値を用いるにようにしているので、表示図柄に狂いを生じたような場合であっても、実際に表示された図柄の組合わせに対応した的確な判定を行うことができる。
【００６３】
実施形態において普通図柄当りの発生する確率は、当りに対応する設定値の範囲を普通当り用乱数記憶レジスタＲ´０の値域で除した値であり、この例では、当りに対応する設定値の値が１のみであって、普通当り用乱数記憶レジスタＲ´０の取り得る値が０乃至４の整数であるから、普通図柄当りの発生する確率は１／５（０．２）となる。従って、表１及び表２に示される各図柄を表記した２つの回転ドラムを有し、同じ図柄が揃うような条件を当り図柄の組合わせとして設定した機械式回転ドラム型の図柄表示装置の当り発生確率５／２５（０．２）と一致するが、ステップｂ１３の判別処理で用いられる比較値の値を領域として設定することにより、普通図柄当りの発生確率を任意に操作することができる。なお、普通図柄当りの発生する確率は１／５（０．２）は、後述する特別図柄が大当りする確率が１５／３３７５であることから、特別図柄が大当りする確率に比べて高い確率に設定されている。
【００６４】
このような操作は普通図柄当りの発生する確率に影響を与えるのみであって、当り図柄や外れ図柄の内容自体はタスク２の処理により、左，右普通当たり図柄データ記憶レジスタｒｌａ乃びｒｒａおよび左，右普通はずれ図柄データ記憶レジスタｒｌｂ乃びｒｒｂの各々にランダムに設定されるから、特定の図柄の組合わせが出易くなるようなことはなく、違和感がない。
【００６５】
図１５乃至図２２に示すタスク３の処理は主に特別図柄の変動表示に関するものである。
【００６６】
タスク３の処理を開始したＣＰＵ３２は、まず、左，中，右第１種始動口１６，３，１７への入賞検出に基く新規の特別図柄変動表示の開始が可能であるか否かを状態記憶フラグＦａに１もしくは２が設定されているか否かにより検出する（ステップｃ１，ステップｃ２）。状態記憶フラグＦａの値が１であれば特別図柄変動表示の実行中であり、また、状態記憶フラグＦａの値が２であれば大入賞口１５の開放動作の実行中であって、いずれの場合にも新規の特別図柄変動表示の開始は不能である。なお、状態記憶フラグＦａの値が１の時はＣＰＵ３２はタスク３の処理で特別図柄の変動表示を継続して実行し、また、状態記憶フラグＦａの値が２の場合には、実質上、タスク３の処理が非実行とされる。
【００６７】
また、状態記憶フラグＦａが１および２以外の値であれば特別図柄の変動表示も大入賞口１５の開放動作も行われていないので、新規の特別図柄変動が開始可能な状態にある。初期段階ではＦａ＝０となり、左，中，右第１種始動口１６，３，１７への入賞検出待ちとなっている。
【００６８】
この場合、ＣＰＵ３２は、まず、記憶状態識別フラグＦ０に１がセットされているか否か、即ち、タスク１の処理で左，中，右第１種始動口１６，３，１７への入賞が既に検出されているか否かを判別する（ステップｃ３）。
【００６９】
左，中，右第１種始動口１６，３，１７への入賞が検出されていれば、入賞検出時点における大当り用乱数記憶レジスタＲＡＮ１の値がタスク１の処理で確定乱数記憶レジスタＲｉに記憶され、かつ、確定乱数記憶レジスタＲｉに対応した記憶状態識別フラグＦｉに１がセットされるが、この時、ＣＰＵ３２は左，中，右第１種始動口１６，３，１７への入賞が検出される毎にｉ＝０〜３の順で確定乱数記憶レジスタＲｉに乱数を記憶してゆくので、記憶状態識別フラグＦ０に１がセットされていれば、左，中，右第１種始動口１６，３，１７への入賞が少なくとも１回は検出されていることを意味する（ステップａ５０〜ステップａ５６参照）。
【００７０】
そして、記憶状態識別フラグＦ０に１がセットされていれば、ＣＰＵ３２はステップｃ４に移行し、状態記憶フラグＦａに１をセットして変動表示の開始を記憶し、変動表示の選択処理を規定する変動状態記憶フラグＦｂに０をセットして（ステップｃ５）、ｔａ乃至ｔｇのパラメータに予め決められた値を設定することになる（ステップｃ６）。ｔａ乃至ｔｇは、図３０に示すように、左，中，右の各特別図柄の変動速度の切り替え時間を示す固定的な値である。
【００７１】
左，中，右の各特別図柄の変動速度の切り替え時間を設定したＣＰＵ３２は、次いで、ドットマトリクスＬＥＤ表示体２２の左，中，右，の各特別図柄表示ＬＥＤ（Ｌ），（Ｃ），（Ｒ）の各々に表示すべき図柄を示す表示指標ｉｌ，ｉｃ，ｉｒの値を連続的にインクリメントして各図柄を高速変動させる処理を開始し（ステップｃ７）、タイマＴを作動させて変動表示開始後の経過時間の測定を開始する（ステップｃ８）。なお、実際の図柄送りは各特別図柄表示ＬＥＤ（Ｌ），（Ｃ），（Ｒ）の各行の表示出力を数行ずつ所定周期毎に切り替えることにより、あたかも図柄が上下に流れるように連続的に行われるが、この点に関しては、ＬＥＤ素子等を用いた表示技術として周知であるから説明を省略する。実施形態の場合、高速変動，中速変動および低速変動時における各特別図柄の図柄送り速度の基準値は各々０．０６４秒／図柄，０．２５６秒／図柄，０．５１２秒／図柄である。
【００７２】
また、左，中，右の各特別図柄表示には必ずしもドットマトリクスＬＥＤ表示体２２を用いる必要はなく、これにかえて、ドットマトリクスＬＥＤ表示体２３を用いてもよい。更に、ドットマトリクスＬＥＤ表示体２２とドットマトリクスＬＥＤ表示体２３の双方に表示指標ｉｌ，ｉｃ，ｉｒに基く図柄を出力するようにすれば立体表示による図柄変動が可能となる。実施形態の場合、ドットマトリクスＬＥＤ表示体２３からハーフミラー２４の反射面に至る距離がドットマトリクスＬＥＤ表示体２２からハーフミラー２４の反射面に至る距離に比べて短いので、ドットマトリクスＬＥＤ表示体２２とドットマトリクスＬＥＤ表示体２３の双方に図柄を出力すると、ドットマトリクスＬＥＤ表示体２３の各ドットはこれに重複するドットマトリクスＬＥＤ表示体２２の各ドットよりも近くに、かつ、大きく見えるため、各ドットの中央部が窪んで立体的に表示されることになる。
【００７３】
以下、左，中，右の各図柄表示にドットマトリクスＬＥＤ表示体２２が用いられているものとして説明する。
【００７４】
以上のようにして、左，中，右第１種始動口１６，３，１７への入賞検出に基く特別図柄の変動表示が開始されるが、変動表示開始の時点では図３０に示されるｔｈ以降の値、即ち、右特別図柄表示ＬＥＤ（Ｒ）の中速および低速変動の時間を規制する値は未設定である。
【００７５】
次周期以降の処理では既に状態記憶フラグＦａに１がセットされているから、表示制御手段としてのＣＰＵ３２はステップｃ１の判別処理実行後ステップｃ９に移行し、以下、変動状態記憶フラグＦｂの現在値０に応じて、変動表示開始後の経過時間Ｔが設定値ｔａに達するまでの間、ステップｃ１およびステップｃ９乃至ステップｃ１０の判別処理と左，中，右の各特別図柄表示ＬＥＤ（Ｌ），（Ｃ），（Ｒ）の高速変動に関するステップｃ１１の処理を所定の処理周期で繰り返し実行することとなる。
【００７６】
このようにして各特別図柄の高速変動処理を繰り返し実行する間に変動表示開始後の経過時間Ｔが設定値ｔａに達すると（ステップｃ１０）、ＣＰＵ３２は確定乱数記憶レジスタＲ０の値を読み込んで確定値記憶レジスタＲａに格納し（ステップｃ１２）、図２８（ｂ）に示されるように、記憶状態識別フラグＦ１乃至Ｆ３および確定乱数記憶レジスタＲ１乃至Ｒ３のデータを記憶状態識別フラグＦ０乃至Ｆ２および確定乱数記憶レジスタＲ０乃至Ｒ２に順次シフトして、記憶状態識別フラグＦ３および確定乱数記憶レジスタＲ３に０をセットする（ステップｃ１３）。
【００７７】
次いで、ＣＰＵ３２は、確定値記憶レジスタＲａの値が設定値εと一致するか否か、即ち、今回の図柄変動処理の開始刺激となった左，中，右第１種始動口１６，３，１７への入賞検出時点における大当り用乱数記憶レジスタＲＡＮ１の値が大当りに対応する設定値εと一致するか否かを判別し（ステップｃ１４）、確定値記憶レジスタＲａの値が設定値εと一致すれば、左，中，右特別大当たり図柄データ記憶レジスタｒ０ａ乃至ｒ２ａの各値を左，中，右，表示特別図柄記憶レジスタｒ０ｃ乃至ｒ２ｃに格納する一方（ステップｃ１５）、確定値記憶レジスタＲａの値が設定値εと一致しなければ、左，中，右特別はずれ図柄データ記憶レジスタｒ０ｂ乃至ｒ２ｂの各値を左，中，右表示特別図柄記憶レジスタｒ０ｃ乃至ｒ２ｃの各々に格納して（ステップｃ１６）、変動停止時に各特別図柄表示ＬＥＤに表示すべき図柄を確定する。
【００７８】
実施形態では、設定値εの値を１５，３７，４７，６３，７９の５種類の数値に設定してある。
【００７９】
次いで、ＣＰＵ３２は、左特別図柄表示ＬＥＤ（Ｌ）の変動停止時間ｔｃ時に左表示特別図柄記憶レジスタｒ０ｃの内部処理指標に対応する図柄が表示されるように左特別図柄に関する表示指標ｉｌの値を設定変更して（ステップｃ１７）、左特別図柄表示ＬＥＤ（Ｌ）の変動速度を高速変動から中速変動に切り替えると共に（ステップｃ１８）、変動状態記憶フラグＦｂに１をセットして（ステップｃ１９）、この周期の処理を終了する。
【００８０】
ｔａ時における左特別図柄表示ＬＥＤ（Ｌ）の表示指標ｉｌの値は自明でないが、左特別図柄表示ＬＥＤ（Ｌ）の中速変動時間ｔｂ−ｔａ＝Ａの値と左特別図柄表示ＬＥＤ（Ｌ）の低速変動時間ｔｃ−ｔｂ＝Ｂの値は予め設定されており、また、左特別図柄表示ＬＥＤ（Ｌ）の中速変動時速度と低速変動速度の各々は一定であるから、左特別図柄表示ＬＥＤ（Ｌ）の変動停止時間ｔｃ時に左特別図柄表示ＬＥＤ（Ｌ）に表示すべき図柄の表示指標ｒ０ｃの情報のみに基いて、表示指標ｉｌの設定変更値を求めることができる。
【００８１】
実施形態の処理タイミングによれば、高速変動から中速変動への切り替えに際し、表示指標ｉｌの現在値が変動停止時に左特別図柄表示ＬＥＤ（Ｌ）に表示すべき図柄の表示指標ｒ０ｃよりも３図柄前の表示指標となるようにｉｌの値を設定変更することにより、変動停止時にｒ０ｃの図柄を得ることができる。
【００８２】
次周期以降の処理では、ＣＰＵ３２はステップｃ１およびステップｃ９の判別処理実行後ステップｃ２０に移行し、以下、変動状態記憶フラグＦｂの現在値１に応じて、変動表示開始後の経過時間Ｔが設定値ｔｂに達するまでの間、ステップｃ１，ステップｃ９およびステップｃ２０乃至ステップｃ２１の判別処理と、左特別図柄表示ＬＥＤ（Ｌ）の中速変動に関する処理および中，右の各特別図柄表示ＬＥＤ（Ｃ），（Ｒ）の高速変動に関するステップｃ２２の処理を所定の処理周期で繰り返し実行することとなる。
【００８３】
このようにして各図柄の変動処理を繰り返し実行する間に変動表示開始後の経過時間Ｔが設定値ｔｂに達すると（ステップｃ２１）、ＣＰＵ３２は左特別図柄表示ＬＥＤ（Ｌ）の変動速度を中速変動から低速変動に切り替えると共に（ステップｃ２３）、変動状態記憶フラグＦｂに２をセットして（ステップｃ２４）、この周期の処理を終了する。
【００８４】
次周期以降の処理では変動状態記憶フラグＦｂの値が２となるから、ＣＰＵ３２はステップｃ１，ステップｃ９，ステップｃ２０の判別処理実行後ステップｃ２５に移行し、以下、変動状態記憶フラグＦｂの現在値２に応じて、変動表示開始後の経過時間Ｔが設定値ｔｃに達するまでの間、ステップｃ１，ステップｃ９，ステップｃ２０およびステップｃ２５乃至ステップｃ２６の判別処理と、左特別図柄表示ＬＥＤ（Ｌ）の低速変動に関する処理および中，右の各特別図柄表示ＬＥＤ（Ｃ），（Ｒ）の高速変動に関するステップｃ２７の処理を所定の処理周期で繰り返し実行することとなる。
【００８５】
そして、経過時間Ｔが設定値ｔｃに達したことがステップｃ２６の判別処理で検出されると、ＣＰＵ３２は左特別図柄表示ＬＥＤ（Ｌ）の低速変動を停止し（ステップｃ２８）、変動状態記憶フラグＦｂに３をセットして（ステップｃ２９）、この周期の処理を終了する。左特別図柄表示ＬＥＤ（Ｌ）の低速変動が停止された時点で、左特別図柄表示ＬＥＤ（Ｌ）には、左表示特別図柄記憶レジスタｒ０ｃに記憶された指標に対応する図柄が静止表示されることとなるが、外部ノイズ等の影響で正常な表示制御が阻害されたりすると、変動表示停止時に別の図柄が表示される場合もある。このような場合であっても、表示指標ｉｌの値に基いてＲＯＭ３０から読込まれたデータに基いて図柄が表示されることにかわりはないから、表示指標ｉｌの値と左図柄との関係は常に確保される。
【００８６】
次周期以降の処理では変動状態記憶フラグＦｂの値が３となるから、ＣＰＵ３２はステップｃ１，ステップｃ９，ステップｃ２０，ステップｃ２５，ステップｃ３０の判別処理実行後ステップｃ３１に移行し、以下、変動状態記憶フラグＦｂの現在値３に応じて、変動表示開始後の経過時間Ｔが設定値ｔｄに達するまでの間、ステップｃ１，ステップｃ９，ステップｃ２０，ステップｃ２５およびステップｃ３０乃至ステップｃ３１の判別処理と、中，右の各特別図柄表示ＬＥＤ（Ｃ），（Ｒ）の高速変動に関するステップｃ３２の処理を所定の処理周期で繰り返し実行することとなる。
【００８７】
そして、経過時間Ｔが設定値ｔｄに達したことがステップｃ３１の判別処理で検出されると、ＣＰＵ３２は、中特別図柄表示ＬＥＤ（Ｃ）の変動停止時間ｔｆ時に中表示特別図柄記憶レジスタｒ１ｃの内部処理指標に対応する図柄が表示されるように中図柄に関する表示指標ｉｃの値を設定変更して（ステップｃ３３）、中特別図柄表示ＬＥＤ（Ｃ）の変動速度を高速変動から中速変動に切り替えると共に（ステップｃ３４）、変動状態記憶フラグＦｂに４をセットして（ステップｃ３５）、この周期の処理を終了する。
【００８８】
中図柄表示ＬＥＤ（Ｃ）の中速変動時間ｔｅ−ｔｄ＝Ａの値と低速変動時間ｔｆ−ｔｅ＝Ｂの値は左特別図柄表示ＬＥＤ（Ｌ）の場合と同様であるから、表示指標ｉｃの設定変更に関する条件も左特別図柄表示ＬＥＤ（Ｌ）の場合と同様であり、高速変動から中速変動への切り替えに際し、表示指標ｉｃの現在値が変動停止時に中特別図柄表示ＬＥＤ（Ｃ）に表示すべき図柄の表示指標ｒ１ｃよりも３図柄前の表示指標となるようにｉｃの値を設定変更することにより、変動停止時にｒ１ｃの図柄を得ることができる。
【００８９】
次周期以降の処理では変動状態記憶フラグＦｂの値が４となるから、ＣＰＵ３２はステップｃ１，ステップｃ９，ステップｃ２０，ステップｃ２５，ステップｃ３０，ステップｃ３６の判別処理実行後ステップｃ３７に移行し、以下、変動状態記憶フラグＦｂの現在値４に応じて、変動表示開始後の経過時間Ｔが設定値ｔｅに達するまでの間、ステップｃ１，ステップｃ９，ステップｃ２０，ステップｃ２５，ステップｃ３０およびステップｃ３６乃至ステップｃ３７の判別処理と、中特別図柄表示ＬＥＤ（Ｃ）の中速変動に関する処理および右特別図柄表示ＬＥＤ（Ｒ）の高速変動に関するステップｃ３８の処理を所定の処理周期で繰り返し実行することとなる。
【００９０】
このようにして各特別図柄の変動処理を繰り返し実行する間に変動表示開始後の経過時間Ｔが設定値ｔｅに達すると（ステップｃ３７）、ＣＰＵ３２は中特別図柄表示ＬＥＤ（Ｃ）の変動速度を中速変動から低速変動に切り替えると共に（ステップｃ３９）、変動状態記憶フラグＦｂに５をセットして（ステップｃ４０）、この周期の処理を終了する。
【００９１】
次周期以降の処理では変動状態記憶フラグＦｂの値が５となるから、ＣＰＵ３２はステップｃ１，ステップｃ９，ステップｃ２０，ステップｃ２５，ステップｃ３０，ステップｃ３６，ステップｃ４１の判別処理実行後ステップｃ４２に移行し、以下、変動状態記憶フラグＦｂの現在値５に応じて、変動表示開始後の経過時間Ｔが設定値ｔｆに達するまでの間、ステップｃ１，ステップｃ９，ステップｃ２０，ステップｃ２５，ステップｃ３０，ステップｃ３６およびステップｃ４１乃至ステップｃ４２の判別処理と、中特別図柄表示ＬＥＤ（Ｃ）の低速変動に関する処理および右特別図柄表示ＬＥＤ（Ｒ）の高速変動に関するステップｃ４３の処理を所定の処理周期で繰り返し実行することとなる。
【００９２】
そして、経過時間Ｔが設定値ｔｆに達したことがステップｃ４２の判別処理で検出されると、ＣＰＵ３２は中特別図柄表示ＬＥＤ（Ｃ）の低速変動を停止し（ステップｃ４４）、変動状態記憶フラグＦｂに６をセットして（ステップｃ４５）、この周期の処理を終了する。中特別図柄表示ＬＥＤ（Ｃ）の低速変動が停止された時点で、中特別図柄表示ＬＥＤ（Ｃ）には、中表示特別図柄記憶レジスタｒ１ｃに記憶された指標に対応する図柄が静止表示されることとなる。また、外部ノイズ等の影響で正常な表示制御が阻害された場合であっても、表示指標ｉｃの値と中図柄との関係は常に確保される。
【００９３】
即ち、左特別図柄表示ＬＥＤ（Ｌ）および中特別図柄表示ＬＥＤ（Ｃ）の各々は、図柄の変動表示開始後、予め定められた設定時間ｔｃおよびｔｆが経過した時点でＣＰＵ３２の処理によって個別に停止されることになる。
【００９４】
次周期以降の処理では変動状態記憶フラグＦｂの値が６となるから、ＣＰＵ３２はステップｃ１，ステップｃ９，ステップｃ２０，ステップｃ２５，ステップｃ３０，ステップｃ３６，ステップｃ４１，ステップｃ４６の判別処理実行後ステップｃ４７に移行し、以下、変動状態記憶フラグＦｂの現在値６に応じて、変動表示開始後の経過時間Ｔが設定値ｔｇに達するまでの間、ステップｃ１，ステップｃ９，ステップｃ２０，ステップｃ２５，ステップｃ３０，ステップｃ３６，ステップｃ４１およびステップｃ４６乃至ステップｃ４７の判別処理と、右特別図柄表示ＬＥＤ（Ｒ）の高速変動に関するステップｃ４８の処理を所定の処理周期で繰り返し実行することとなる。
【００９５】
そして、経過時間Ｔが設定値ｔｇに達したことがステップｃ４７の判別処理で検出されると、ＣＰＵ３２は、左特別図柄表示ＬＥＤ（Ｌ）の表示指標ｉｌの現在値と中特別図柄表示ＬＥＤ（Ｃ）の表示指標ｉｃの現在値とが一致しているか否か、即ち、変動表示を停止した左特別図柄表示ＬＥＤ（Ｌ）と中特別図柄表示ＬＥＤ（Ｃ）の図柄組合わせが大当り図柄の組合わせの必要条件を満足しているか否かを比較し（ステップｃ４９）、比較結果に応じて、ｔｇ時以降の特別図柄変動処理、即ち、右特別図柄表示ＬＥＤ（Ｒ）の中速および低速変動の時間設定に必要とされる各種のデータを設定することとなる。
【００９６】
まず、ステップｃ４９の判別結果が偽となった場合、即ち、左特別図柄表示ＬＥＤ（Ｌ）の停止図柄と中特別図柄表示ＬＥＤ（Ｃ）の停止図柄とが一致していず、大当りの発生する確率が皆無の場合には、ＣＰＵ３２は、右特別図柄の変動速度の切り替え時間を示すｔｈ乃びｔｊのパラメータに予め決められた値を設定した後（ステップｃ５０）、右特別図柄表示ＬＥＤ（Ｒ）の変動停止時間ｔｉ時に右表示特別図柄記憶レジスタｒ２ｃの内部処理指標に対応する図柄が表示されるように右図柄に関する表示指標ｉｒの値を設定変更して（ステップｃ５１）、右特別図柄表示ＬＥＤ（Ｒ）の変動速度を高速変動から中速変動に切り替えると共に（ステップｃ５６）、変動状態記憶フラグＦｂに７をセットして（ステップｃ５７）、この周期の処理を終了する。
【００９７】
右特別図柄表示ＬＥＤ（Ｒ）の中速変動時間ｔｈ−ｔｇ＝Ｃの値と右特別図柄表示ＬＥＤ（Ｒ）の低速変動時間ｔｉ−ｔｈ＝Ｄの値は固定的であるから、右特別図柄表示ＬＥＤ（Ｒ）の変動停止時間ｔｉ時に右特別図柄表示ＬＥＤ（Ｒ）に表示すべき図柄の表示指標ｒ２ｃの情報のみに基いて、表示指標ｉｒの設定変更値を求めることができる。実施形態の処理タイミングによれば、高速変動から中速変動への切り替えに際し、表示指標ｉｒの現在値が変動停止時に右特別図柄表示ＬＥＤ（Ｒ）に表示すべき図柄の表示指標ｒ２ｃよりも１図柄前の表示指標となるようにｉｒの値を設定変更することにより、変動停止時にｒ２ｃの図柄を得ることができる。
【００９８】
また、ステップｃ４９の判別結果が真となった場合、即ち、左特別図柄表示ＬＥＤ（Ｌ）の停止図柄と中特別図柄表示ＬＥＤ（Ｃ）の停止図柄とが一致して大当り図柄の組合わせの必要条件を満足した場合には、ＣＰＵ３２は、右特別図柄に関する表示指標ｉｒの現在値を特定の値２に設定変更した後（ステップｃ５２）、変動時間用乱数記憶レジスタＲＡＮ２の値と変動停止時に表示すべき表示指標ｒ２ｃの情報に基いてｔｈ乃至ｔｊのパラメータを選択的に設定することとなる（ステップｃ５３〜ステップｃ５５）。
【００９９】
即ち、変動時間用乱数記憶レジスタＲＡＮ２の値が０であった場合には表６に示されるようなＲＯＭ３０の選択条件ファイルに基いて、変動停止時に表示すべき図柄の表示指標ｒ２ｃに対応する変動時間Ｃを選択してパラメータｔｈにｔｇ＋Ｃを設定し（ステップｃ５４）、また、変動時間用乱数記憶レジスタＲＡＮ２の値が１であった場合には表７に示されるようなＲＯＭ３１の選択条件ファイルに基いて、変動停止時に表示すべき図柄の表示指標ｒ２ｃに対応する変動時間Ｃを選択してパラメータｔｈにｔｇ＋Ｃを設定し、パラメータｔｈの値に予め決められた一定の値を加えてパラメータｔｉおよびｔｊの値を設定する（ステップｃ５５）。
【０１００】
【表６】
0003855230.tif 000007
【０１０１】
【表７】
0003855230.tif 000008
従って、変動時間用乱数記憶レジスタＲＡＮ２の値が０で、かつ、変動停止時に表示すべき図柄の表示指標ｒ２ｃの値が０の場合であれば、変動時間Ｃとして表６から３．１０４ｓが選択され、パラメータｔｈの値はｔｇ＋Ｃ＝１０．３３６ｓとなり、また、変動時間用乱数記憶レジスタＲＡＮ２の値が１で、かつ、変動停止時に表示すべき図柄の表示指標ｒ２ｃの値が１４の場合であれば、変動時間Ｃとして表７から１０．５２８ｓが選択され、パラメータｔｈの値はｔｇ＋Ｃ＝１７．７６０ｓとなる。
【０１０２】
つまり、ステップｃ５４およびステップｃ５５の処理は、ステップｃ１７，ステップｃ３３およびステップｃ５１に示される処理のように中速および低速時の変動時間を一定として変動停止時に表示すべき図柄の表示指標ｒ２ｃの値に対応して中速変動開始時における表示指標ｉｒの値を再設定するかわりに、中速変動開始時における表示指標ｉｒの値を特定の値に決めて変動停止時に表示すべき図柄の表示指標ｒ２ｃの値に対応して中速および低速の変動時間を設定するものである。
【０１０３】
表６および表７に示されるように、ＲＯＭ３０は、中図柄表示ＬＥＤ（Ｃ）の変動表示が停止してから右図柄表示ＬＥＤ（Ｒ）の図柄表示を略一巡させて表示指標ｒ２ｃの停止図柄を表示する変動時間を変動時間用乱数記憶レジスタＲＡＮ２の値０に対応して記憶する一方、変動時間用乱数記憶レジスタＲＡＮ２の値１に対しては、中特別図柄表示ＬＥＤ（Ｃ）の変動表示が停止してから右特別図柄表示ＬＥＤ（Ｒ）の図柄表示を略二巡させて表示指標ｒ２ｃの停止図柄を表示する変動時間を記憶しており、どの変動表示時間を選択して設定するかは、変動時間用乱数記憶レジスタＲＡＮ２の現在値と停止図柄を示す表示指標ｒ２ｃの値で確定される。
【０１０４】
表６および表７の各々においては停止図柄を示す表示指標ｒ２ｃの値が増大するにつれて変動表示時間時も単純増加するが、遊技者の側では変動時間用乱数記憶レジスタＲＡＮ２の現在値を認識することはできず、図柄表示が略一巡するのか略二巡するのかを知るよしもないから、単純に変動時間の長短を観察することによって停止図柄を推定することは非常に困難である。
【０１０５】
なお、表６および表７に示す変動時間の値は実施形態の処理タイミングに基いて一例を示すものであり、変動時間等を制限するものではない。
【０１０６】
そして、ステップｃ５４もしくはステップｃ５５の処理でｔｈ乃至ｔｊのパラメータを設定したＣＰＵ３２は、右特別図柄表示ＬＥＤ（Ｒ）の変動速度を高速変動から中速変動に切り替えた後（ステップｃ５６）、変動状態記憶フラグＦｂに７をセットして（ステップｃ５７）、この周期の処理を終了する。
【０１０７】
変動状態記憶フラグＦｂに７がセットされる結果、次周期以降の処理では、ステップｃ１，ステップｃ９，ステップｃ２０，ステップｃ２５，ステップｃ３０，ステップｃ３６，ステップｃ４１，ステップｃ４６，ステップｃ５８の判別処理実行後、ＣＰＵ３２はステップｃ５９に移行し、以下、変動状態記憶フラグＦｂの現在値７に応じて、変動表示開始後の経過時間Ｔが設定値ｔｈに達するまでの間、ステップｃ１，ステップｃ９，ステップｃ２０，ステップｃ２５，ステップｃ３０，ステップｃ３６，ステップｃ４１，ステップｃ４６およびステップｃ５８乃至ステップｃ５９の判別処理と、右特別図柄表示ＬＥＤ（Ｒ）の中速変動に関するステップｃ６０の処理を所定の処理周期で繰り返し実行することとなる。
【０１０８】
このようにして各図柄の変動処理を繰り返し実行する間に変動表示開始後の経過時間Ｔが設定値ｔｈに達すると（ステップｃ５９）、ＣＰＵ３２は右特別図柄表示ＬＥＤ（Ｒ）の変動速度を中速変動から低速変動に切り替えると共に（ステップｃ６１）、変動状態記憶フラグＦｂに８をセットして（ステップｃ６２）、この周期の処理を終了する。
【０１０９】
次周期以降の処理では変動状態記憶フラグＦｂの値が８となるから、ＣＰＵ３２はステップｃ１，ステップｃ９，ステップｃ２０，ステップｃ２５，ステップｃ３０，ステップｃ３６，ステップｃ４１，ステップｃ４６，ステップｃ５８，ステップｃ６３の判別処理実行後ステップｃ６４に移行し、以下、変動状態記憶フラグＦｂの現在値８に応じて、変動表示開始後の経過時間Ｔが設定値ｔｉに達するまでの間、ステップｃ１，ステップｃ９，ステップｃ２０，ステップｃ２５，ステップｃ３０，ステップｃ３６，ステップｃ４１，ステップｃ４６，ステップｃ５８およびステップｃ６３乃至ステップｃ６４の判別処理と、右特別図柄表示ＬＥＤ（Ｒ）の低速変動に関するステップｃ６５の処理を所定の処理周期で繰り返し実行することとなる。
【０１１０】
そして、経過時間Ｔが設定値ｔｉに達したことがステップｃ６４の判別処理で検出されると、ＣＰＵ３２は右特別図柄表示ＬＥＤ（Ｒ）の低速変動を停止し（ステップｃ６６）、変動状態記憶フラグＦｂに９をセットして（ステップｃ６７）、この周期の処理を終了する。右特別図柄表示ＬＥＤ（Ｒ）の低速変動が停止された時点で、右特別図柄表示ＬＥＤ（Ｒ）には、右表示特別図柄記憶レジスタｒ２ｃに記憶された指標に対応する図柄が静止表示されることとなる。また、外部ノイズ等の影響で正常な表示制御が阻害された場合であっても、表示指標ｉｒの値と右図柄との関係は常に確保される。
【０１１１】
そして、全ての特別図柄の変動表示を終了したＣＰＵ３２は、次周期以降の処理では変動状態記憶フラグＦｂの値が９となるから、ステップｃ１，ステップｃ９，ステップｃ２０，ステップｃ２５，ステップｃ３０，ステップｃ３６，ステップｃ４１，ステップｃ４６，ステップｃ５８，ステップｃ６３の判別処理実行後ステップｃ６８に移行し、以下、変動状態記憶フラグＦｂの現在値９に応じて、変動表示開始後の経過時間Ｔが設定値ｔｊに達するまでの間、ステップｃ１，ステップｃ９，ステップｃ２０，ステップｃ２５，ステップｃ３０，ステップｃ３６，ステップｃ４１，ステップｃ４６，ステップｃ５８，ステップｃ６３およびステップｃ６８の判別処理を所定の処理周期で繰り返し実行することとなる。
【０１１２】
そして、経過時間Ｔが設定値ｔｊに達したことがステップｃ６８の判別処理で検出されると、ＣＰＵ３２は、左特別図柄表示ＬＥＤ（Ｌ）の表示指標ｉｌの現在値と中特別図柄表示ＬＥＤ（Ｃ）の表示指標ｉｃの現在値とが一致しているか否か、即ち、最終的に表示された左特別図柄表示ＬＥＤ（Ｌ）の停止図柄と中特別図柄表示ＬＥＤ（Ｃ）の停止図柄とが一致しているか否か（ステップｃ６９）、および、左特別図柄表示ＬＥＤ（Ｌ）の表示指標ｉｌの現在値と右特別図柄表示ＬＥＤ（Ｒ）の表示指標ｉｒの現在値とが一致しているか否か、即ち、最終的に表示された左特別図柄表示ＬＥＤ（Ｌ）の停止図柄と中特別図柄表示ＬＥＤ（Ｃ）の停止図柄および右特別図柄表示ＬＥＤ（Ｒ）の停止図柄が全て一致しているか否かを判別し（ステップｃ７０）、図柄の一致不一致、即ち、大当りか否かに応じて、タスク５の処理に必要とされる各種のデータを設定することとなる。
【０１１３】
まず、ステップｃ６９またはステップｃ７０の判別結果が偽となった場合、即ち、左図柄表示ＬＥＤ（Ｌ）の停止図柄と中図柄表示ＬＥＤ（Ｃ）の停止図柄とが一致していないはずれの場合には、ＣＰＵ３２は、状態記憶フラグＦａおよび変動状態記憶フラグＦｂの値を初期化して（ステップｃ７１，ステップｃ７２）、この周期の処理を終了する。
【０１１４】
これに対し、ステップｃ６９およびステップｃ７０の判別結果が共に真となった場合、即ち、左特別図柄表示ＬＥＤ（Ｌ）の停止図柄と中特別図柄表示ＬＥＤ（Ｃ）の停止図柄および右特別図柄表示ＬＥＤ（Ｒ）の停止図柄が全て一致、即ち、大当りの場合には、ＣＰＵ３２は変動状態記憶フラグＦｂの値を初期化し（ステップｃ７３）、状態記憶フラグＦａに２を設定して（ステップｃ７４）、大入賞口１５の開放に関するタスク５の処理の実行を許可する。
【０１１５】
この実施形態においては左，中，右第１種始動口１６，３，１７への入賞検出時におけるステップａ１２の処理で大当り用乱数記憶レジスタＲＡＮ１の現在値が確定乱数記憶レジスタＲｉに記憶された時点で確定乱数記憶レジスタＲｉの値が設定値ε（１５，３１，４７，６３及び７９の５種類の値）と一致するか否かによって大当りの発生の有無が既に決定され、また、ステップｃ１７の処理で左特別図柄表示ＬＥＤ（Ｌ）の中速変動表示が開始される時点ではステップｃ１４乃至ステップｃ１６の処理により特別大当り図柄の組合わせや特別外れ図柄の組合わせが確定されているが、外部ノイズ等の影響で正常な表示制御が阻害され、最終的に表示される図柄に狂いが生じることも考えられる。
【０１１６】
しかし、本実施形態においては、最終的な特別図柄組合わせの判定に際し、予め確定された特別図柄組合わせのかわりに、変動表示停止時の特別図柄に対応する表示指標ｉｌ，ｉｃ，ｉｒ，ｉｕの現在値を用いるにようにしているので、表示図柄に狂いを生じたような場合であっても、実際に表示された特別図柄の組合わせに対応した的確な判定を行うことができる。
【０１１７】
実施形態において大当りの発生する確率は、大当りに対応する設定値の範囲を大当り用乱数記憶レジスタＲＡＮ１の値域で除した値であり、この例では、大当りに対応する設定値の数が５種類であって、大当り用乱数記憶レジスタＲＡＮ１の取り得る値が０乃至１０４９の整数であるから、大当りの発生する確率は５／１０５０（０．９５２／２００）となる。従って、表１乃至表４に示される各図柄を表記した３つの回転ドラムを有し、同じ図柄が３つ揃う時を当り図柄の組合わせとして設定した機械式回転ドラム型の図柄表示装置の大当り発生確率１５／３３７５（０．８８８／２００）とは一致しない。また、ステップａ２の判別処理で用いられる比較値の値を変更したり、ステップｃ１４の判別処理で用いられる比較値の値を領域として設定したりすることにより、大当りの発生確率を任意に操作することができる。
【０１１８】
例えば、ステップａ２の判別処理で用いられる比較値の値を１０２５とすれば大当りの発生する確率は５／１０２５（０．９７５／２００）となり、また、ステップｃ１４の判別処理で用いられる比較値の値εを０＜ε＜６のように領域として設定してもよい。
【０１１９】
このような操作は大当りの発生する確率に影響を与えるのみであって、特別大当り図柄や特別はずれ図柄の内容自体はタスク１の処理により、左，中，右特別大当たり図柄データ記憶レジスタｒ０ａ乃至ｒ２ａおよび左，中，右特別はずれ図柄データ記憶レジスタｒ０ｂ乃至ｒ２ｂの各々にランダムに設定されるから、特定の図柄の組合わせが出易くなるようなことはなく、違和感がない。
【０１２０】
図２３乃至図２５に示されるタスク４の処理は、中第１種始動口３の開閉動作処理に関するものである。
【０１２１】
中第１種始動口３は、図３１に示すように、タスク２の処理で左右の普通図柄が一致して当りと判定される場合に６回開閉を行う。普通動作フラグｆａに３が設定されると、ＣＰＵ３２は、ステップｄ１の判別処理実行後ステップｄ２に移行し、まず、中第１種始動口３の開放動作が可能か否かを動作時間フラグｆｔに１もしくは２が設定されているか否かにより検出する。普通動作フラグｆａが３以外の場合には、実質上タスク４の処理は非実行となる。
【０１２２】
動作時間フラグｆｔの値が１であれば、中第１種始動口３の開放状態の実行中であり、また、動作時間フラグｆｔの値が２であれば中第１種始動口３の閉鎖状態の実行中であって、いずれの場合も中第１種始動口３の開閉動作の開始は不可能である。そして、動作時間フラグｆｔが１及び２以外の値であれば、中第１種始動口３の開放状態あるいは閉鎖状態の実行中ではないので、中第１種始動口３の開閉動作が開始可能な状態にある。初期段階ではタスク２の処理で動作時間フラグｆｔに０がセットされる。この場合には、ＣＰＵ３２は、パラメータｔｋに予め決められた値にセットして（ステップｄ４）、動作時間フラグｆｔに１をセットして（ステップｄ５）、ソレノイド等で開閉駆動される中第１種始動口３の開放動作処理を実行し（ステップｄ６）、タイマＴｂを作動させて中第１種始動口３の開放後の経過時間の測定を開始する（ステップｄ７）。
【０１２３】
そして、次周期以降の処理では、既に動作時間フラグｆｔに１がセットされているから、ＣＰＵ３２は、ステップｄ１の判別処理実行後ステップｄ８に移行し、開放動作実行後の経過時間Ｔｂが設定値ｔｋに達するまでの間、ステップｄ１及びステップｄ２乃至ステップｄ３の判別処理を所定の処理周期で繰り返し実行することとなる。
【０１２４】
そして、中第１種始動口３の開放動作実行後の経過時間Ｔｂが設定値ｔｋに達したことがステップｄ８の判別処理で検出されると、ＣＰＵ３２は中第１種始動口３を閉鎖し（ステップｄ９）、開放回数記憶レジスタＣの値をインクリメントした後（ステップｄ１０）、中第１種始動口３の開閉動作処理の実行回数が設定値６に達したか否かを判別し（ステップｄ１１）、中第１種始動口３の開閉動作処理の実行回数が設定値６の範囲内にあれば、パラメータｔｌに予め決められた値をセットし（ステップｄ１２）、動作時間フラグｆｔに２をセットして（ステップｄ１３）、タイマＴｂを作動させて中第１種始動口３の閉鎖後の経過時間の測定を開始して（ステップｄ１４）、この周期の処理を終了する。
【０１２５】
次周期以降の処理では、動作時間フラグｆｔに２がセットされているから、ＣＰＵ３２は、ステップｄ１、ステップｄ２及びステップｄ３の判別処理実行後、ステップｄ１５に移行し、閉鎖状態の経過時間Ｔｂが設定値ｔｌに達するまでの間、ステップｄ１、ステップｄ２、ステップｄ３及びステップｄ１５の判別処理を所定の処理周期で繰り返し実行することとなる。
【０１２６】
そして、中第１種始動口３の閉鎖状態の経過時間Ｔｂが設定値ｔｌに達したことが検出されると（ステップｄ１５）、ＣＰＵ３２は動作時間フラグｆｔを０クリアし（ステップｄ１６）、この周期の処理を終了する。これにより中第１種始動口３の開閉動作の１回目が終了する。
【０１２７】
次周期では、動作時間フラグｆｔが０とされている結果、ＣＰＵ３２は、ステップｄ１、ステップｄ２、ステップｄ３と経由して再びステップｄ４に移行し、前述のステップｄ４乃至ステップｄ７の各処理を実行し、この周期の処理を終了する。この結果、中第１種始動口３の開閉動作の２回目が開始されることとなる。
【０１２８】
このように、ＣＰＵ３２は、開放回数記憶レジスタＣの値が所定の開放回数６に達するまでの間、前記のステップｄ１〜ステップｄ７に至る中第１種始動口３の拡開に伴う処理を含め、ステップｄ８のタイマＴｂによる開放時間の計時処理、開放時間ｔｋの経過時の中第１種始動口３の閉鎖に伴う処理（ステップｄ９〜ステップｄ１４）、ステップｄ１５のタイマＴｂによる閉鎖時間の計時処理、閉鎖時間ｔｌの経過時の動作時間フラグの０クリアの処理（ステップｄ１６）を繰り返し実行する。
【０１２９】
ＣＰＵ３２は、開放時間ｔｋの経過時の中第１種始動口３の閉鎖に伴う処理を行う毎に開放回数記憶レジスタＣを１つずつアップしていくことにより、中第１種始動口３の６回目の拡開が終了する時点で開放回数記憶レジスタＣの値が６に達する（ステップｄ１１）。
【０１３０】
ＣＰＵ３２は、ステップｄ１１を真と判別してステップｄ１７に移行し、開放回数記憶レジスタＣ及び動作時間フラグｆｔを初期化し（ステップｄ１７、ステップｄ１８）、普通図柄動作フラグｆａを初期化して（ステップｄ１９）、記憶数表示レジスタＲｄの値を１だけ減じて（ステップｄ２０）処理を終了する。
【０１３１】
タスク２またはタスク４の処理で普通図柄動作フラグｆａの値が初期化される結果、次周期以降のステップｄ１及びステップｄ２の判別結果は共に偽となり、ゲート検出状態識別フラグＥ０の値が再度ＣＰＵ３２により検出されることとなる（ステップｂ４）。
【０１３２】
従って、左，右ゲート５，６の再度のゲート通過検出によりゲート検出状態識別フラグＥ０に新たに１が記憶された場合や、複数のゲート通過検出によってゲート検出状態識別フラグＥ１以降に記憶された値がシフトされたような場合には、ステップｄ４以降の処理により再度の図柄合せ処理が、第１回目を含め、最高４回まで続けて開始されることとなる。
【０１３３】
図２６はタスク５の処理の概略を示すフローチャートである。状態記憶フラグＦａに２が設定されると、ＣＰＵ３２はステップｅ１の判別処理実行後ステップｅ２に移行し、ソレノイド等で開閉駆動される大入賞口１５の開閉操作を開始し、所定の開放時間の経過もしくは大入賞口１５への遊技球の入賞個数の検出などに基づく開閉動作の終了条件が成立するまでの間、所定の処理周期でステップｅ２の開閉処理を繰り返し実行し、ステップｅ３の判別処理で終了条件の成立が検出されると、ステップｅ４の処理で大入賞口１５を閉鎖して１開放動作を終了し、ステップｅ５の処理で状態記憶フラグＦａの値を初期化する。
【０１３４】
タスク３またはタスク５の処理で状態記憶フラグＦａの値が初期化される結果、次周期移行のステップｃ１及びステップｃ２の判別結果は共に偽となり、記憶状態識別フラグＦ０の値が再度ＣＰＵ３２により検出されることとなる（ステップｃ３）。
【０１３５】
従って、左，中，右第一種始動口１６，３，１７への再度の入賞検出により確定乱数レジスタＲ０に新たに記憶された場合や、複数の入賞検出によって確定乱数記憶レジスタＲ１以降に記憶された値がシフトされたような場合には、ステップｃ４以降の処理により再度の図柄組合わせ処理が、第一回目を含め、最高４回まで続けて開始されることとなる。
【０１３６】
遊技盤１において、遊技が開始されて左ゲート５または右ゲート５に遊技球が通過し、また、平行して左，中，右第１種始動口１６，３，１７のいずれかに遊技球が入賞した場合、ＣＰＵ３２によるタスク１の処理で、左，右普通図柄作動スイッチＳＷ５，ＳＷ６からの検出信号により未使用のゲート検出状態識別フラグＥｉを検出して記憶されると共に、左，中，右第１種始動口入賞検出スイッチＳＷ１，ＳＷ２，ＳＷ３からの入賞検出信号が入力されて、未使用の確定乱数記憶レジスタＲｉに大当り用乱数記憶レジスタＲＡＮ１の現在値が記憶され、第１種始動口１６，３，１７への入力を検出する毎に、検索指標ｉの値に基づいて記憶状態識別フラグＦｉがセットされる。
【０１３７】
そして、ＣＰＵ３２はタスク２の処理において、普通図柄の変動表示を行い、又、タスク３において、特別図柄の変動表示を行う。タスク１、タスク２及びタスク３の処理は、クロック回路３５からの信号に応じ、ＣＰＵ３２が所定の処理周期（μｓのオーダー）ごとに並列的に繰り返し実行するものである。
【０１３８】
従って、遊技者は、図柄表示ユニット２内の普通図柄表示部２２ａと特別図柄表示部２２ｂにおいて、普通図柄表示ＬＥＤ（Ａ），（Ｂ）による普通図柄変動表示と、特別図柄表示ＬＥＤ（Ｌ），（Ｃ），（Ｒ）もしくは特別図柄表示ＬＥＤ（Ｌ），（Ｃ），（Ｒ），（ｌ），（ｃ），（ｒ）による特別図柄変動表示を、同時に遊技盤１において視認することとなる。
【０１３９】
また、表８乃至表１０はパチンコ機の動作状態に応じたランプおよびＬＥＤの表示、点灯態様を表わす表であり、表１１は、パチンコ機の動作状態に応じたスピーカーの識別効果音発生態様を表わす表である。
【０１４０】
【表８】
0003855230.tif 000009
【０１４１】
【表９】
0003855230.tif 000010
【０１４２】
【表１０】
0003855230.tif 000011
【０１４３】
【表１１】
0003855230.tif 000012
【０１４４】
なお、上記実施の形態においては、第２の図柄表示部２２ｂに所定の図柄の組合せ態様が表示される時に拡開作動する第２の変動入賞装置（大入賞口１５）を備え、第１の変動入賞装置（中第一種始動口３を備えたチューリップ式の電動役物）を第２の可変表示部２２ｂにおいて図柄の変動を開始させる始動入賞装置に設定し、第１の変動入賞装置がその入賞口の開閉を複数回（６回）繰り返すようにしたので、第１の変動入賞装置が１回のみの拡開動作を行うものと比べて、入賞の可能性を高めることができ、かつ拡開するタイミングに合わせて遊技者が遊技球をコントロールさせる機会を増やし、入賞させることができるか否かの趣興性を維持することができる。
【０１４５】
【発明の効果】
請求項１に記載の構成によれば、第１の図柄表示部に第１の図柄によって所定の表示態様が表示される確率が、第２の図柄表示部に前記第２の図柄によって所定の表示態様が表示される確率よりも高い確率に設定されているので、第１の変動入賞装置は第２の変動入賞装置よりも比較的拡開作動されやすく、これにより遊技者に入賞機会を拡大すると同時に第２の図柄の変動回数を比較的多くすることができ、遊技の興趣を高めることができる。また、第１の入賞装置への入賞により、第２の図柄が所定の表示態様で表示され、第２の変動入賞装置が拡開作動されると、遊技者の入賞機会がさらに拡大し、遊技者に利益をもたらすことができることとなるが、一方的に入賞機会を拡大すると遊技店が営業的に不利となるおそれがあるため、第２の図柄が所定の表示態様で表示される確率を比較的低く設定することによって、第２の変動入賞装置が拡開作動される機会を比較的少なくすることができ、これによって遊技者の遊技に対する興趣を維持しながら遊技者と遊技店の利益バランスを取ることが可能になる。
【０１４６】
所定の範囲内で更新される抽選用数値手段の抽選結果の判定とは別処理により、第１の図柄によって表示される組合せ図柄を予め作成記憶しておき、抽選用数値手段の抽選結果の判定が外れの場合に応じて、作成記憶した組合せ図柄を表示するように制御するので、第１の図柄に関する表示制御の負荷を軽減することができる。
【図面の簡単な説明】
【図１】本発明の実施形態に係るパチンコ機の遊技盤を示す正面図
【図２】実施形態の図柄表示ユニットの要部を示す側断面概念図
【図３】実施形態の図柄表示体のドットマトリクス表示体を示す平面図
【図４】実施形態の別の図柄表示体のドットマトリクス表示体を示す平面図
【図５】実施形態のパチンコ機に配備したＣＰＵによる処理の一部を示すフロー図
【図６】図５のフロー図のつづき
【図７】図６のフロー図のつづき
【図８】図７のフロー図のつづき
【図９】図８のフロー図のつづき
【図１０】図９のフロー図のつづき
【図１１】図１０のフロー図のつづき
【図１２】実施形態のパチンコ機に配備したＣＰＵによる処理の一部を示すフロー図
【図１３】図１２のフロー図のつづき
【図１４】図１３のフロー図のつづき
【図１５】実施形態のパチンコ機に配備したＣＰＵによる処理の一部を示すフロー図
【図１６】図１５のフロー図のつづき
【図１７】図１６のフロー図のつづき
【図１８】図１７のフロー図のつづき
【図１９】図１８のフロー図のつづき
【図２０】図１９のフロー図のつづき
【図２１】図１９のフロー図のつづき
【図２２】図２１のフロー図のつづき
【図２３】実施形態のパチンコ機に配備したＣＰＵによる処理の一部を示すフロー図
【図２４】図２３のフロー図のつづき
【図２５】図２４のフロー図のつづき
【図２６】実施形態のパチンコ機に配備したＣＰＵによる処理の一部を示すフロー図
【図２７】実施形態のパチンコ機の制御部を示す要部ブロック図
【図２８】実施形態における確定乱数記憶レジスタＲｉの記憶動作を示す作用原理図
【図２９】実施形態のパチンコ機の図柄表示ユニットにおける普通図柄変動処理を示すタイミングチャート
【図３０】実施形態のパチンコ機の図柄表示ユニットにおける特別図柄変動処理を示すタイミングチャート
【図３１】実施形態のパチンコ機の中第一種始動口における開閉動作処理を示すタイミングチャート
【符号の説明】
１  遊技盤
２  図柄表示ユニット
３  中第一種始動口
４ａ  左下入賞口
４ｂ  右下入賞口
５  左ゲート
６  右ゲート
７  天入賞口
８  ランプ付風車
９  風車
１１  アウト球受口
１２  球誘導レール
１３  返しゴム
１４  入賞装置
１５  大入賞口
１６  左第一種始動口
１７  右第一種始動口
１８  遊技球分け壁
１９  遊技球分け壁
２０  連続回数表示ＬＥＤ
２１  大入賞口入賞数表示ＬＥＤ
２２  ドットマトリクスＬＥＤ表示体
２２ａ  普通図柄表示部
２２ｂ  特別図柄表示部
２２ｃ  一縁
２２ｄ  表示面
２３  ドットマトリクスＬＥＤ表示体
２４  ハーフミラー
２５  記憶数表示部
２６  文字表示ＬＥＤ
２７  記憶数表示ＬＥＤ
２８  覗き窓
２９ａ  遊技球振り分け部
３０  ＲＯＭ
３１  ＲＡＭ
３２  ＣＰＵ
３３  スイッチ検出部
３４  ＬＥＤ表示回路
３５  クロック回路
４０  制御部
４１  飾り部材
５０  表示灯
５１  表示灯
５２  表示灯
５３  表示灯
５４  装飾ＬＥＤ
ＳＷ１  第２の検出体としての第１種始動口入賞検出スイッチ
ＳＷ２  同上
ＳＷ３  同上
ＳＷ５  第１の検出体としての普通図柄作動検出スイッチ
ＳＷ６  同上
（Ｌ）第２の図柄表示体の図柄表示単位面としての左特別図柄表示ＬＥＤ
（Ｃ）第２の図柄表示体の図柄表示単位面としての中特別図柄表示ＬＥＤ
（Ｒ）第２の図柄表示体の図柄表示単位面としての右特別図柄表示ＬＥＤ
（Ａ）第１の図柄表示体の図柄表示単位面としての左特別図柄表示ＬＥＤ
（Ｂ）第１の図柄表示体の図柄表示単位面としての右特別図柄表示ＬＥＤ
（Ｎ）図柄表示体の図柄表示単位面としての記憶数表示ＬＥＤ
（ｌ）第２の別の図柄表示体の図柄表示単位面としての左特別図柄表示ＬＥＤ
（ｃ）第２の別の図柄表示体の図柄表示単位面としての左特別図柄表示ＬＥＤ
（ｒ）第２の別の図柄表示体の図柄表示単位面としての左特別図柄表示ＬＥＤ
【図１】
0003855230.tif 000013
【図２】
0003855230.tif 000014
【図３】
0003855230.tif 000015
【図４】
0003855230.tif 000016
【図５】
0003855230.tif 000017
【図６】
0003855230.tif 000018
【図７】
0003855230.tif 000019
【図８】
0003855230.tif 000020
【図９】
0003855230.tif 000021
【図１０】
0003855230.tif 000022
【図１１】
0003855230.tif 000023
【図１２】
0003855230.tif 000024
【図１３】
0003855230.tif 000025
【図１４】
0003855230.tif 000026
【図１５】
0003855230.tif 000027
【図１６】
0003855230.tif 000028
【図１７】
0003855230.tif 000029
【図１８】
0003855230.tif 000030
【図１９】
0003855230.tif 000031
【図２０】
0003855230.tif 000032
【図２１】
0003855230.tif 000033
【図２２】
0003855230.tif 000034
【図２３】
0003855230.tif 000035
【図２４】
0003855230.tif 000036
【図２５】
0003855230.tif 000037
【図２６】
0003855230.tif 000038
【図２７】
0003855230.tif 000039
【図２８】
0003855230.tif 000040
【図２９】
0003855230.tif 000041
【図３０】
0003855230.tif 000042
【図３１】
0003855230.tif 000043